(57)【要約】      （修正有）【課題】触覚と視覚的に指を正しい位置にセットしやすい生体認証装置を提供する。【解決手段】下部本体と、その上部に配置される本体カバーとから構成され、カメラで撮影した生体画像をデジタル情報に変換して生体認証に用いる生体認証装置において、前記本体カバーは、その上部に、後端部が円形で、かつ前方から後方に伸びる指挿入部を備え、前記指挿入部は、前部に配置される根元ガイド部と、後部に配置される先端ガイド部５３１と、前記根元ガイド部と先端ガイド部との間に配置される撮影用窓部と、前記先端部ガイド部近傍の第１ガイド光源部５３５ａと、前記撮影用窓部の両側の第２ガイド光源部５３５ｂとを含んで構成し、第１・２ガイド光源部は、多色光を発光可能な複数の光源から構成され、前記第１ガイド光源部の単独の発光と、前記第１・２ガイド光源部とで連携して発光することで、前記指挿入部の長手方向に沿った光の動的な動きを可能にしている。【選択図】図１
2008084247.tif 000002
【特許請求の範囲】
【請求項１】
カメラを備えた下部本体と、この下部本体の上部に配置される本体カバーとから構成され、前記カメラで撮影した生体画像をデジタル情報に変換して生体認証に用いる生体認証装置において、
前記本体カバーは、その上部に、後端部が円形で、かつ前方から後方に伸びる指挿入部を備え、
前記指挿入部は、前部に配置される根元ガイド部と、後部に配置される先端ガイド部と、前記根元ガイド部と先端ガイド部との間に配置される撮影用窓部と、前記先端部ガイド部近傍に配置される第１ガイド光源部と、前記撮影用窓部の両側に配置される第２ガイド光源部と、を含んで構成し、
第１ガイド光源部と第２ガイド光源部とは、多色光を発光可能な複数の光源から構成され、
前記第１ガイド光源部の単独の発光と、前記第１ガイド光源部と前記第２ガイド光源部とで連携して発光することで、前記指挿入部の長手方向に沿った光の動的な動きを可能にした
ことを特徴とする生体認証装置。
【請求項２】
前記請求項１記載の生体認証装置において、
前記生体認証装置は、前記第１ガイド光源部と第２ガイド光源部の動作を制御する制御装置を備えている
ことを特徴とする生体認証装置。
【請求項３】
前記前記指挿入部は前記指挿入部の周囲に立ち上がり部を備え、前記第１ガイド光源部と第２ガイド光源部は前記立ち上がり部に設けられている
ことを特徴とする生体認証装置。
【発明の詳細な説明】
【技術分野】
【０００１】
本発明は生体を用いた個人認証装置に関し、特に、生体認証における位置決めが容易な案内手段を備えた生体認証装置に関する。
【背景技術】
【０００２】
従来より、磁気カードやＩＣカードの認証用として暗証番号が広く普及している。近年、遺失や盗難等による不正行使の恐れも少ないセキュリティ方式として、指紋や虹彩、血管パターンといった個人の体の一部を鍵として用いる生体認証が注目されている。中でも、血管パターンを用いた認証方法は、指紋のように犯罪捜査を連想させたり、虹彩のように直接眼球に光を照射したりすることがないので心理的抵抗感が少なく、また、容易に観測できる生体表面ではなく内部の特徴のため、偽造が困難という利点がある。
【０００３】
これら生体認証は、金融機関の自動機の個人認証において広く普及しつつある。特に、指の静脈を用いた指静脈認証装置は、手軽さや認証しやすいとの観点から脚光を浴びている。
【０００４】
【特許文献１】特開２００２−８３２９８号公報
【特許文献２】特開２０００−２００１１３号公報
【発明の開示】
【発明が解決しようとする課題】
【０００５】
前記指静脈認証装置は、例えば、現金自動預入支払機などで普及しつつある。この従来例の認証装置では、タッチパネルを備えた表示装置に近接して配置され、この表示装置に表示されるガイダンス表示の案内に従って指を認証装置にセットすることで、簡単に認証操作を行うことができる。しかし、多くの利用者が操作する現金自動預入支払機などの公共機器においては、誰でも迷わず利用者の指を認証装置に正しくセットする必要がある。従来例では、表示装置に表示されるガイダンスや認証装置に設けられる動作ランプなどにより工夫を凝らしているが、より操作性の良い認証装置が求められている。
【０００６】
特に、この種の生体認証装置では、装置の動的な動きが殆どないことから、触感や視覚的な工夫で生体（指）を正しい位置に位置決めさせる必要がある。しかも、手軽にセットでき、かつ、清掃性などの面からも配慮が必要である。
【０００７】
そこで、この発明の目的とするところは、触覚と視覚的に指を正しい位置にセットしやすい生体認証装置を提供することにある。
【課題を解決するための手段】
【０００８】
本発明は、前記目的を達成するために、カメラを備えた下部本体と、この下部本体の上部に配置される本体カバーとから構成され、前記カメラで撮影した生体画像をデジタル情報に変換して生体認証に用いる生体認証装置において、前記本体カバーは、その上部に、後端部が円形で、かつ前方から後方に伸びる指挿入部を備え、前記指挿入部は、前部に配置される根元ガイド部と、後部に配置される先端ガイド部と、前記根元ガイド部と先端ガイド部との間に配置される撮影用窓部と、前記先端部ガイド部近傍に配置される第１ガイド光源部と、前記撮影用窓部の両側に配置される第２ガイド光源部と、を含んで構成し、第１ガイド光源部と第２ガイド光源部とは、多色光を発光可能な複数の光源から構成され、前記第１ガイド光源部の単独の発光と、前記第１ガイド光源部と前記第２ガイド光源部とで連携して発光することで、前記指挿入部のナガテ方向に沿った光の動的な動きを可能にしている。
【０００９】
この場合、前記生体認証装置は、前記第１ガイド光源部と第２ガイド光源部の動作を制御する制御装置を備えるようにする。更に、前記前記指挿入部は前記指挿入部の周囲に立ち上がり部を備え、前記第１ガイド光源部と第２ガイド光源部は前記立ち上がり部に設けるようにする。
【発明の効果】
【００１０】
本発明によれば、指を連想する指挿入部の造形による触覚と、ガイド光源部の点燈表現による視覚により、指を正しい位置にセットしやすくすることができる。
【発明を実施するための最良の形態】
【００１１】
以下、図１から図１７を参照して、本発明に係る実施の形態を説明する。この実施の形態は、銀行システムなどの金融機関システムに採用される例えばＡＴＭ（Automatic Teller Machine）のような自動取引装置に関する。図１から図１０は第1の実施の形態、図１１から図１７は他の実施の形態を示している。なお、同一部位や矢印などは同一符号を持って示し、重複した説明を省略する。
【００１２】
（第1の実施形態）
先ず、図１を参照して、本実施の形態に係る自動取引装置の概略構造を説明する。図１は本発明の一実施の形態に係る自動取引装置１の概略説明図である。
【００１３】
図１において、符号１で総括的に示すのは、金融機関等のロビーなどに設置される自動取引装置である。本実施の形態では、自動取引装置１としてＡＴＭの例で説明する。自動取引装置１は、直方体の前面上方の一部分が側面から見てＬ字形に切り欠かれた開口部を有する本体筐体１０と、Ｌ字形の開口部を塞ぐように配置され、側面から見てＬ字形に形成されたフロントパネル１１とから構成されている。
【００１４】
本体筐体１０は、前面が開口したベース筐体１２と、このベース筐体１２の前面下方に設けられた板状の前面扉１３と、ベース筐体１２の背面に配置された板状の背面扉１４とを有している。ベース筐体１２は、各種の取引処理を行う機構部、例えば、図２に示す、タッチパネル付表示部２２０、カード部２２１、通帳明細印字部２２２、伝送制御部２２３、記憶装置部２２４、硬貨入出金部２２５、紙幣入出金部２２６、電源部２２７、生体認証部２２８、制御部２２９等を内蔵している。タッチパネル付表示部２２０は情報の入力装置および出力装置としての機能を備えており、カード部２２１はＩＤカード２１２（図２参照）の読取装置および出力装置としての機能を備えている。そして、タッチパネル付表示部２２０の操作表示部１５や各部の媒体口１８、１９、２３、２４や生体認証部２２８の生体情報読取部２２はフロントパネル１１から露出するように配置されている。
【００１５】
Ｌ字形のフロントパネル１１は、本体正面の垂直面を形成するパネル部１６と、水平面を構成するテーブル部１７とを備えている。本実施形態では、垂直面を構成する前記パネル部１６の中央にカード／明細票取扱口１８や通帳取扱口１９からなる媒体取扱部２０が配置され、水平面を構成するテーブル部１７の中央に操作表示部１５、その両側に非常時の連絡用のハンドセット２１と生体認証部２２８の生体情報読取部２２が配置され、水平面と垂直面の角部には紙幣挿入／排出口２３と硬貨挿入／排出口２４が並設されている。
【００１６】
本実施の形態の特徴の1つは、操作表示部１５に隣接した位置に、触覚と視覚的に指の正しい位置合わせが容易な指静脈認証方式の生体情報読取部２２を配置した点にある。この生体情報読取部２２は、操作表示部１５の片側に着脱（交換）可能な設置パネル２５を介して取り付けられる。この設置パネル２５は所定の位置に開口部２５ａが設けられており、この開口部２５ａに生体情報読取部２２の下部本体５００を挿入することで、生体情報読取部２２を所定の位置に取り付けることができる。
【００１７】
前記生体情報読取部２２は、その外観をカメラ２５２（図５参照）を内蔵した前記下部本体５００と、この下部本体５００の上部に配置される本体カバー５３０とから構成される。本体カバー５３０は、その平面形状が下部本体５００より一回り大きく形成されることで、前記設置パネル２５に取り付けた際に、前記開口部２５ａとの接合部が隠蔽され、本体カバー５３０と設置パネル２５とが連続した形態となるので、清掃性や意匠性を向上することができる。
【００１８】
また、この実施の形態に係る前記本体カバー５３０は、前後方向に縦長で、その先端が円弧形状を備えた平面形状を備えるとともに、手前が高く後方に行くに従って高さが低くなる側面形状を備えている。この実施の形態に係るＡＴＭ１の前記テーブル部１７は、操作表示部１５の操作のしやすさと後方からの覗き見防止の観点から、操作表示部１５を備えたテーブル部１７を傾斜面としている。本発明者らは、実験的検証から、このような傾斜するテーブル部１７をＡＴＭ１を立位の姿勢で操作する場合、生体情報読取部２２の指をセットする角度は水平が良好であることを導き出した。
【００１９】
また、立位姿勢の利用者がテーブル部１７に向かって指をセットする場合、手前から奥くに向かって指を出すことから、生体情報読取部２２は前後方向に長い形状とすることが自然である。
【００２０】
以上の観点から、この実施形態では、生体情報読取部２２を、前後方向に長く、かつ、手前が高く、後方に行くに従って低くなる外観形状に設定している。これにより、この実施の形態に係る生体情報読取部２２は、その上面が水平面に近くなり、指を無理な姿勢を強いることなくセットすることができる。
【００２１】
また、この生体情報読取部２２は、先端部５３１を円弧状とする縦長形状とすることで、利用者に指の外観形状を連想させることができる。これにより、先端部５３１の円弧形状の部分に指の先端を合わせることが自然な形で行われることとなる。そしてまた、この生体情報読取部２２は、その上面を両側が立ち上がった凹状の円弧形状としている。これにより、利用者は前記両側の立ち上がった立ち上がり部５３２により左右方向が制限され、指を所定の位置にセットすることができる。しかも、先端部５３１にも、前記立ち上がり部５３２が形成されているので、利用者は指の触覚感覚で自然な形で正しい位置に導かれる。
【００２２】
そして、この実施の形態の他の特徴の１つは、前記立ち上がり部５３２に複数の光源を備えたガイド光源５３５を備えた点である。即ち、この実施の形態では、前記立ち上がり部５３２の後部立ち上がり部５３３に第１ガイド光源５３５ａを設け、前記立ち上がり部５３２の側部立ち上がり部５３４に第２ガイド光源５３５ｂを設けている。この第１ガイド光源５３５ａ、第２ガイド光源５３５ｂは、多色光を発光する複数の光源で構成され、その光源の発光の仕方により、多様なガイダンスを行うことができる。
【００２３】
例えば、この実施の形態では、第１ガイド光源５３５ａのみ青色で点燈させることにより、正常動作中であることを示し、ガイド光源５３５全体を緑色で点滅させることにより生体情報読取部２２の位置を示すのと同時に指を誘う案内動作とし、ガイド光源５３５の先端から手前に青色を流れるように光らせることにより認証中を示し、ガイド光源５３５全体を青色で点燈させることにより認証が完了したことを示し、ガイド光源５３５全体を赤色で点滅させることにより認証がＮＧであったことを示し、ガイド光源５３５全体を消灯することにより故障中を示すようにしている。
【００２４】
このように、この実施の形態では、生体情報読取部２２にガイド光源５３５を備えることにより、多様なガイダンスを表現して、利用者に視覚的なガイダンスを行って使い勝手を向上させている。
【００２５】
なお、前記ガイド光源５３５の点燈制御は、図示しない制御部を介して制御する。この場合、前記点燈サイクルは前記制御部の内部メモリや、他のメモリに予め記憶するようにする。また、この制御部は、他の制御装置で制御しても良い。
【００２６】
以下、図２から図１０を参照して、この第１の実施の形態に係るＡＴＭ１を詳細に説明する。
【００２７】
先ず、図２を参照して、この自動取引装置１が設置される金融機関システムの構成と自動取引装置１の構成を説明する。図２は図１の自動取引装置１を用いた金融機関システムのブロック構成図である。
【００２８】
この金融機関システムでは、この金融機関システムを統括するセンタ１００のサーバやホストなどの機器（コンピュータ）に対して、複数の営業店舗２００のサーバや端末やシステムなどの機器（コンピュータ）と専門センタ３５０のサーバや端末などの機器（コンピュータ）とがネットワーク３００で接続されている。前記営業店舗２００には店舗ネットワーク２１１を介して複数の機器（コンピュータ）が接続され、これら機器（コンピュータ）が前記ネットワーク３００を介して前記センタ１００や前記専門センタ３５０の機器（コンピュータ）と接続され、この金融機関システムを利用する顧客に対して各種の金融サービスを提供することができるようになっている。この他、この金融機関システムには前記ネットワーク３００を介して他の金融システムや各種のサービスサイトの機器（コンピュータ）に接続することができる。
【００２９】
前記センタ１００の各機器（コンピュータ）は、ＨＵＢサーバ１５０を介して他の営業店舗２００の機器（コンピュータ）や専門センタ３５０の機器（コンピュータ）と接続することで、金融機関内の全ての情報を統括管理している。このＨＵＢサーバ１５０は、ゲートウエイサーバを兼用するものであり、チャネル系ＡＰサーバ群を統括する統合チャネルサーバ１１０と、勘定系ホスト１４０と、各種の新商品情報を備えた新商品サーバ１３０と、全ての顧客情報を統括的に管理する顧客管理サーバ１２０などが接続される。
【００３０】
統合チャネルサーバ１１０は、前記ネットワーク３００を介して営業店舗２００の機器（コンピュータ）と接続されて、営業店舗２００の機器（コンピュータ）に各種の情報を提供する支援システムである。この統合チャネルサーバ１１０の統括下には、ＩＢコンテンツ情報を備えたＩＢサーバ１１１と、営業店のコンテンツ情報を備えた営業店ＡＰサーバ１１２と、来店顧客情報を備えた来店管理サーバ１１３と、商品のコンテンツ情報を備えた商品情報サーバ１１４と、行員情報を備えた行員管理サーバ１１５と、顧客情報デ一タを備えた顧客情報管理サーバ１１６とを備えている。
【００３１】
一方、営業店舗２００は、店舗ネットワーク２１１を介して各種装置が接続されて設けられている。例えば、このシステムでは、自動取引装置１、顧客の店舗の出入りを管理する受付端末２０８、顧客の各種の相談に対応する相談端末２０７、顧客に各種の情報を提供する情報テーブル端末２０６、行員が顧客に対して相談や商談を薦める相談テーブル端末２０５、行員が顧客に対して取引に関する各種サービスを行う窓口取引端末２０４、前記窓口取引端末２０４を支援する窓口後方取引端末２０３、各種の金融関連装置からなる金融デバイス２０２、店舗内の各種情報を管理する営業店サーバ２０１、店舗内の無線通信や位置検知を行う店舗通信システム２１０などが設けられている。
【００３２】
また、この金融機関システムでは、顧客が所有する携帯端末２１３や、この金融機関が顧客に提供するＩＤカード（個入認証用カード）２１２などを介して各種の情報を提供することができる。このＩＤカード２１２は、ＩＣカードで構成され、そのＩＣチップ内に顧客の個人情報（暗証番号（識別番号）、生体情報（本実施形態では、指静脈情報）、取引情報などの各種情報）が電気信号として記憶されて登録される。
【００３３】
前記自動取引装置１は、この自動取引装置１を統括して制御する制御部２２９と、情報入力部を兼ねたタッチパネル付表示部２２０と、各種のカードに対して読み取りや書き込みを行うカード部２２１と、通帳の書き込みを行う通帳明細印字部２２２と、店舗ネットワーク２１１に接続するための伝送制御部２２３と、各種の情報を記憶する記憶装置部２２４と、硬貨入出金部２２５と、紙幣入出金部２２６と、電源部２２７と、生体認証部２２８とを含んで構成される。
【００３４】
次に、図３、図４を参照して、本実施形態に係るＡＴＭの外観寸法および使用状態について説明する。図３は、第１の実施形態に係るＡＴＭの外形寸法を示す図であり、図４（ａ）は正面図、図４（ｂ）は右側面図である。図４は、第１の実施形態に係るＡＴＭの立位姿勢の操作状態図である。
【００３５】
先ず、図３において、第１の実施形態に係るＡＴＭ１は、全体の高さＨ４が１２００ｍｍ、幅Ｗ１が５７０ｍｍ、奥行Ｄ１が１０７０ｍｍの外形寸法を備えると共に、フロントパネル１１の水平方向に形成されたテーブル部１７の先端部までの高さＨ５が８２５ｍｍ、媒体取扱部２０の上端部までの高さＨ６が１０５０ｍｍとなっている。また、テーブル部１７は、設置面に対して角度θ１だけ傾斜するように配置されている。本実施形態では、角度θ１を８°に設定している。
【００３６】
なお、本実施形態に係るＡＴＭ１の外形寸法は、高さＨ４が１０００ｍｍ≦Ｈ４≦１６００ｍｍの範囲、幅Ｗ１が４５０ｍｍ≦Ｗ１≦６００ｍｍの範囲、奥行Ｄ１が４５０ｍｍ≦Ｄ１≦１２００ｍｍの範囲、Ｈ５が７００ｍｍ≦Ｈ５≦８５０ｍｍの範囲、Ｈ６が１０００ｍｍ≦Ｈ６≦１５００ｍｍの範囲、角度θが０°≦θ１≦３０°で形成されるようになっている。
【００３７】
そして、図４で示すように、本実施形態に係るＡＴＭ１は、利用者がＡＴＭ１の正面に立って（立位姿勢）操作する際、操作表示部１５や媒体取扱部２０は、利用者の腕の動作範囲に納まるようになっている。
【００３８】
このような構成とすることにより、利用者がＡＴＭ１の正面に立った際に、フロントパネル１１のパネル部１６やテーブル部１７に配置された操作表示部１５や媒体取扱部２０の位置を視覚的にわかり易くすることができる。しかも、視線を極端に動かすことなく、操作表示部１５や媒体取扱部２０を取り扱うことができるので、操作表示部１５の操作性や視認性および媒体取扱部２０の取扱性を良好にすることができる。
【００３９】
また、本実施形態では、画面操作のしやすさと後方からの覗き見防止の観点から、操作表示部１５を備えたテーブル部１７を角度Θ１の傾斜面としている。この実施の形態では、この傾斜するテーブル部１７に生体情報読取部２２を設けている。したがって、利用者が指を正しくセットしやすいように生体情報読取部２２の設置姿勢を考慮する必要がある。
【００４０】
標準的な背丈を備えた大人の利用者が、テーブル部１７に実装した生体情報読取部２２を立位姿勢で操作する場合、肘と手首との間に角度Θ２の角度が付く。Θ２が少ないと手首が曲がり操作の負担となることから、Θ２がなるべく大きくなるように生体情報読取部２２を実装する必要がある。ただし、Θ２が大き過ぎると車いす使用者の操作性が低下する。
【００４１】
そこで、この実施の形態では、生体情報読取部２２の指をセットする位置の高さＨ３を８３０〜８４０ｍｍのは範囲に設定し、その角度は水平に近い角度で実装している。
【００４２】
次に、図５を参照しながら、自動取引装置１のシステム構成の概略を説明する。図５は図１の自動取引装置１のシステム構成の一例を示す概略ブロック図である。制御部２２９は、ＣＰＵ２５９、メモリ２６０、および入出力インタフェース２５５〜２５８などを備えて構成されている。メモリ２６０は、図２に示す記憶装置部２２４を構成するものであり、後述する制御動作を行わせるためのプログラムを格納している。ＣＰＵ２５９は、図２に示す制御部２２９を構成するものであり、メモリ２６０に格納されたプログラムを用いて制御を実行する。
【００４３】
カード部２２１は入出力インタフェース２５７を介してコンピュータ２２９に接続されており、ＩＤカード２１２をカード部２２１に挿入することにより、ＩＤカード２１２に登録された顧客の個人情報などがカード部２２１で読み取られ、制御部２２９の入出力インタフェース２５７を介してメモリ２６０に格納される。
【００４４】
また、光源２５１とカメラ２５２との間に、指２６１を挿入して、スイッチ２５３の押下に合わせて指静脈情報の画像信号を取得する。スイッチ２５３の押下の替わりに、図示しない指置き検知センサによる指置き検知により画像信号を取得するようにしてもよい。この指静脈情報は指血管パターンを図形情報として取得する。指静脈情報の代わりに、手のひら静脈情報や、その他の生体情報を用いることが可能な場合には、それらを用いてもよい。前述の光源２５１、カメラ２５２及びスイッチ２５３は図１に示す自動取引装置１の生体情報読取部２２を構成するものである。カメラ２５２の画像信号は、画像入力器２５４によってデジタル情報に変換され、コンピュータ２２９の入出力インタフェース２５５を介してメモリ２６０に格納される。
【００４５】
さらには、スイッチ２５３も同様に入出力インタフェース２５６を介して接続され、オン／オフの状態がメモリ２６０に格納されるか、もしくは、オンになると同時にＣＰＵ２５９に対して割り込み信号を発生する。
【００４６】
ＣＰＵ２５９は、スイッチ２５３の状態がオンになったのを確認するか、もしくはオンになった割り込み信号を検知すると、認証を行うソフトウェアプログラムを起動し実行する。そして、プログラムの処理結果に基づき、その結果を、タッチパネル付き表示部２２０に表示したり、カード部２２１に出力してＩＤカード２１２に書き込みしたり、制御対象２８０に適切な信号を送って扉を開閉したり、といった各種制御を行う。なお、タッチパネル付き表示部２２０は、上述したように情報入力部を兼ねており、例えば、暗証番号などの認証に関する、補助情報や取引情報などを入力するのに用いることができる。
【００４７】
なお、本実施形態では、生体認証部２２２を構成する生体情報読取部２２で指の静脈を読み取って認証に用いるものであるので、手のひらの静脈を読み取って認証に用いる場合に比較して、認証情報の容量が小さく、認証速度が速く、しかも、認証装置が小型で使い勝手がよいものである。
【００４８】
次に、図６、図７を参照して、自動取引装置１の生体認証部２２８を構成する生体情報読取部２２の構造を説明する。図６は生体情報読取部２２の外観図であり、（ａ）図が斜視図、（ｂ）図がから（ｄ）図がガイド光源を点燈させた状態の平面図である。図７は、生体情報読取部２２の外観図であり、（ａ）図が平面図、（ｂ）図が底面図、（ｃ）図が左側面図、（ｄ）図が正面図、（ｅ）図が背面図、（ｆ）図が中央縦断面図、（ｇ）図が横中央断面図を示している。ここで、左側面図は右側面図と対称なため省略している。また、設置状態では、（ｄ）図が上面と成る姿勢で取り付けられるが、この上面部分が特徴的であるため正面図で現している。
【００４９】
なお、以後の説明では、実施の形態の外観図面を特徴的な部分（部分意匠）を実線で示している。もちろん、破線部を実線で示した全体意匠も新規な意匠であることは言うまでもない。ここでは説明を分かりやすくするために、特徴部分と他の部分を分けて記載している。
【００５０】
図６、７において、この実施の形態に係る前記生体情報読取部２２は、前記下部本体５００と、この下部本体５００の上部に配置される本体カバー５３０とから構成される。本体カバー５３０は、その平面形状が下部本体５００より一回り大きく形成される。前記本体カバー５３０は、先端部５３１が丸い縦長の平面形状を備えるとともに、手前が高く、後方が低いくさび形の側面形状を備えている。平面中央には透光性素材で形成される窓部５３６が形成され、これを囲むように立ち上がり部５３２が形成される。そして、この立ち上がり部５３２がガイドとなって利用者の指を正しい位置に置きやすくしている。
【００５１】
また、（ａ）（ｂ）図からも明らかなように、この本体カバー５３０の上面は、両側の側部立ち上がり部５３４が隆起したＵ字状の断面を備えている。そして、先端部５３１と手前の根元ガイド部５３７が前記窓部５３６より高くなっている。
【００５２】
また、この実施の形態では、窓部５３６の周囲にガイド光源５３５を設けて、多様な光表現を行うことにより、分かりやすいガイダンス表示を行うことができる。例えば、図６（ｂ）図はガイド光源５３５全体を緑色で点燈させた状態を示し、（ｂ）図は第１ガイド光源５３５ａと第２ガイド光源５３５ｂを点燈させた状態を示し、（ｃ）図は第１ガイド光源５３５ａのみ点燈させた状態を示している。なお、この実施の形態では、根元ガイド部５３７の手前に第３ガイド光源５３５Ｃを備えている。
【００５３】
また、図７の（ｆ）（ｇ）図に示すように、この実施の形態では、側部立ち上がり部５３４に光源２５１を設け、この光源から発した光が指に向かって照射され、この照射されて指を透過した光を窓部５３６内のカメラ２５２で撮影する構造を備えている。
【００５４】
このように、この第１の実施の形態に係る生体情報読取部２２の特徴は、ガイドのあるわかりやすさと指を囲う光の強調がポイントとなっている。つまり、この生体情報読取部２２は、薄く低いガイドでかざしやすいく、ガイド自体が発光して案内するもので、シャープな形状で先進性を表現し、Ｕ時状の断面で掃除しやすい形状としている。
【００５５】
特に、この実施の形態は、指を置く範囲の外側にガイドを設けて、指を置く位置を規定し、指のかたちを模したＵ字形のガイド形状を強調するため、Ｕ字形以外の造形要素を排除した形状としている。つまり、側面の上部稜線を直線にしたので、正面から見てＵ字形がはっきり見えて、利用者に指を置く範囲を明確に認識させることができる。
【００５６】
また、ガイドの内と外を明瞭にするため、窓部５３６と指先置き部を黒色で統一している。更に、ガイド内側を凹状の断面にして、指を受けることを連想しやすくしている。更に、ガイド全周囲をガイド光源５３５にして指を囲うように発光させ、位置をわかりやすくしている。また、認証受入れ状態ではＵ字形に「緑」点滅して端末の場所を示し、認証中は「青」色の光が先端から根元へ向かって移動して指の読込範囲を示し、認証が終了すると全点灯して終わったことを示すようにしている。ここで、エラーは赤色の早い点滅で表現している。このように、この実施の形態では、状態に応じて光で案内することで、操作タイミングをわかりやすくしている。
【００５７】
また、生体情報読取部２２は８度傾斜のテーブル部１７に実装することを想定し、指が水平になるように根元が高く指先が低い側面形状にしている。ガイドの先端部５３１は爪の長い人の爪が越えられる程度の高さに設定している。また、ガイドの厚みを薄くして、指根元がきつくならないように配慮している。
【００５８】
そして、この生体情報読取部２２は、窓部５３６をＵ状状の断面にして汚れを拭き取りやすくし、また、窓部５３６を前後の先端部５３１と根元ガイド部５３７より低くしているので、指が触れる面積を少なくし、ベタツキを感じにくい艶消し処理としている。
【００５９】
次に、図８を参照して、生体情報読取部２２の指のセット位置とセット姿勢について説明する。図８は、生体情報読取部２２の指のセット位置とセット姿勢の説明図であり（ａＩ）図が上面から見たセット姿勢図、（ｂ）図が側面から見たセット姿勢図である。
【００６０】
（ａ）図において、生体情報読取部２２に指をセットさせる場合、指の先端を基準に窓部５３６を配置すると、指の長さに対する受容性が高い。そこで、この実施の形態では、指先を置く位置を規定する先端部５３１と、この先端部５３１の外側に後部立ち上がり部５３３を設けている。この後部立ち上がり部５３３から窓部５３６までの距離ｆを先端部５３１の奥行きとして設定し、窓部５３６の奥行き寸法（読み取り範囲）ｇを規定する。また、窓部５３６の両側には光源２５１を備えた壁（側部立ち上がり部５３４）があり、壁の間隔は指の太い人でも置ける寸法ｈとしてている。
【００６１】
（ｂ）図において、指は曲がる方向に動きやすいので、先端部５３１の高さｄより根元ガイド部５３７の高さｅを高くすることで指を自然にガイド（先端部５３１）に乗せ、窓部５３６に認証部位を安定的にかざすことができる。また、後部立ち上がり部５３３を根元ガイド部５３７と同じ高さに設定することで、つめの長い人でも、このつめがセット姿勢に邪魔にならないようにしている。
【００６２】
次に、図９の動作フロー図を基づいて、図１０の生体情報読取部２２の点燈動作図を参照しながら、この実施の形態のガイド光源５３５の動作を説明する。図９はＡＴＭ１の動作フロー図である。図１０はガイド光源の点燈動作図である。
【００６３】
図９において、ＣＰＵ２５９は、取引開始にあたりトップメニュー画面を操作表示部１５に表示している（ステップ４１０）。このトップメニュー画面の表示の際には、ＣＰＵ２５９は、生体情報読取部２２が正常に動作する状態を示す表示として、図１０の（ｄ）図に示す第１ガイド光源５３５ａを緑色に点燈させる。ここで、ＣＰＵ２５９は、何らかのトラブルで生体情報読取部２２が使えない状態となると、図１０の（ｅ）図に示すように、ガイド光源５３５全体を消灯させる。
【００６４】
前記トップメニュー画面は「引き出し」や「預け入れ」などの選択キーを画面上に表示しており、利用者が前記選択キーをタッチすると、検知待機状態の前記ＣＰＵ２５９は前記タッチパネル付表示部１５のタッチパネルでタッチされた座標を検知し、当該タッチされた選択キーに対応する処理を受け付けるとともに（ステップ４１１）、カード挿入画面４４０を操作表示部１５に表示し、ＩＤカード２１２が挿入されることを待つ（ステップ４１３）。
【００６５】
ＣＰＵ２５９は、ＩＤカード２１２がカード部２２１に挿入され、ＩＤカード２１２に登録された顧客の個人情報などを前記カード部２２１で読み取り、ＣＰＵ２５９の入出力インタフェース２５７を介してメモリ２６０に格納し（ステップ４１４）、生体認証画面を操作表示部１５に表示する（ステップ４１５）。前記生体認証画面は、認証手続姿勢を現す生体認証部と暗証番号手続を表すテンキー部とを１つの画面上（４５０）に表示される。
【００６６】
ここで、ＣＰＵ４５９は、前記生体認証画面では、生体認証が照合されるまで他の認証、ここでは暗証番号手続きを示すテンキー部を不活性状態（手続きできない）とし、生体認証を促す生体認証部を活性状態（動作可能な状態）とするとともに、「本人認証」として「指をかざしてください」とのガイダンスを表示させる。
【００６７】
ＣＰＵ４５９は、前記生体認証画面が表示されると、図１０の（ａ）図に示すように、ガイド光源５３５全体を青色で点滅させるとともに、カメラ２５２や画像入力器２５４などを動作状態とする。この点燈により、生体情報読取部２２の位置を利用者に示すのと同時に指を誘う案内を行うことができる。利用者は、前記操作表示部１５の生体認証部とガイダンスにしたがって前記生体情報読取部２２に指をかざすことで生体認証の手続きを行うことができる。
【００６８】
ＣＰＵ２５９は、生体情報読取部２２に利用者の指が置かれたか否かを監視し（ステップ４１６）、指が置かれると、図１０の（ｂ）図に示すガイド光源５３５の点燈動作を行うとともに、認証姿勢でカメラ２５２で得られる指静脈情報（指血管パターン）を図形情報として取得し、デジタル情報に変換する。
【００６９】
図１０の（ｂ）図に示すガイド光源５３５の点燈動作では、第１ガイド光源５３５ａから第２ガイド光源５３５ｂに青色の点燈が流れるステップを繰り返すように点燈する。これは、スキャナーの光源が読み取り対象物をスキャンするように点燈動作する。このように、利用者に対して認証中を示すことで指の静止を促すことができる。合わせて操作に対して反応を示すことで安心感を与えることができる。
【００７０】
ステップ４１６において、ＣＰＵ２５９は、更に、ＣＰＵ２５９は、前記カメラ２５２を介して得られるデジタル情報とカードから取得されたデジタル情報とを照合し(ステップ４１７)、合致すれば暗証番号画面を表示するとともに生体情報読取部２２のガイド光源５３５全体を青色点燈させ(ステップ４２２)、不一致であればステップ４１８へ移行する。
【００７１】
ＣＰＵ２５９は、ステップ４１７において、ＩＣカードの不一致回数を記録（書き換え）し、ステップ４１９において、この不一致回数が予め設定された不一致回数を超えているか否かを判定する。ここで、不一致回数が所定回数を超えていればステップ４２６において取引停止処理を行って元のトップメニュー画面を表示する。
【００７２】
一方、不一致回数が所定回数未満の場合、図１０の不承認画面を表示する。この不承認画面では、活性状態のテンキー部に「×」を付して、かつ。「本人認証が承認できませんでした」とのガイダンスを表示して、承認できないことを利用者に通知する。
【００７３】
ＣＰＵ２５９は、不承認の場合、図１０の（ａ）図に示す第１ガイド光源５３５ａと第２ガイド光源５３５ｂを赤色で点滅させる。そして、ＣＰＵ２５９は、前記不承認画面を所定時間表示した後、再生体認証画面を操作表示部１５に表示し、カメラ２５２や画像入力器２５４及び前記生体情報読取部２２のガイド光源５３５を青色に点灯させ生体情報読取部２２を動作状態とする。
【００７４】
前記再生体認証画面は、「本人認証」について「もう一度指を置いてください」「登録されている指は右手人差指ですとのガイダンスを表示するとともに、生体認証の操作姿勢を示す図面を表示する。ここで、この実施の形態では、ガイダンスとして、最初の認証では登録されている指を表示しなかったが、再認証の場合では、登録されている指を表示するようにしている。これにより、詳細な情報提供（表示）を控えることにより、情報の漏洩を軽減するとともに通常の操作時間を短縮させ、再認証では明確な（詳細な）情報を提供することにより確実な操作性を実現させている。
【００７５】
特に、この実施の形態では、前記再生体認証画面に表示される操作姿勢を示す図面では、誤りやすい複数の姿勢図を表示するとともに、再操作を促す操作図を表示することにより、再承認の承認率を向上させるようにしている。
【００７６】
ＣＰＵ２５９は、暗証番号画面において、生体認証部を不活性状態（非動作状態）とし、暗証番号入力部を生体認証の承認が得られたことを示す「丸印」を付して活性状態とする。また、前記生体情報読取部２２の第１ガイド光源５３５ａを緑色の点灯に変更して、生体認証が完了したことを利用者に知らせる。
【００７７】
前記暗証番号部は、上方に配置される入力確認表示部と、その下方に配置される複数の入力キーからなるテンキー群から構成される。ＣＰＵ２５９はテンキー郡を介して暗証番号の入力を受け付けると、入力確認表示部に入力が受け付けられたことを示す「＊」マークを表示すとともに（ステップ４２３）、当該暗証番号が入力されると、直ちにメモリに格納された暗証番号データと照合を行い（ステップ４２４）、承認されれば、前記ステップ４１１で選択された取引画面を操作表示部１５に表示して、当該取引の手続きを継続する（ステップ４２５）。
【００７８】
また、前記ステップ４２４において、暗証番号が不承認の場合は、ステップ４２７で照合不一致の処理が行われる。この照合不一致の処理では、前記ステップ４１８からステップ４２１と同様な処理が行われる。
【００７９】
このように、この実施の形態では、操作表示部１５に表示されるガイダンスと連動して生体情報読取部２２のガイド光源５３５が多様な点燈動作を行うので、利用者は視覚的にその動作状態を知ることができる。
【００８０】
（第２の実施の形態）
次に、図１１と図１２を参照して、第２の実施の形態に係る生体情報読取部２２ｂを詳細に説明する。図１１と図１２は生体情報読取部の外観図であり、図１１の（ａ）図は斜視図、（ｂ）は中央縦断面図、（ｃ）図は中央横断面図、図１２の（ａ）図は平面図、（ｂ）図は底面図、（ｃ）図は左側面図、（ｄ）図は正面図、（ｅ）図は背面図を示している、ここで、右側面図は左側面図と対称につき省略している。また、設置状態では、（ｄ）図が上面と成る姿勢で取り付けられるが、この上面部分が特徴的であるため正面図で現している。
【００８１】
なお、以後の説明では、実施の形態の外観図面を特徴的な部分（部分意匠）を実線で示している。もちろん、破線部を実線で示した全体意匠も新規な意匠であることは言うまでもない。ここでは説明を分かりやすくするために、特徴部分と他の部分を分けて記載している。
【００８２】
この第２の実施の形態に係る生体情報読取部２２ｂは、四角形の平面形状を備えたフラットな平面部が、後方に行くに従って低くなるくさび形の側面形状を備えた本体カバー５３０ｂと、下部本体５００とから構成される。この本体カバー５３０ｂの前面中央から後方に伸びる凹状の指挿入部５３８ｂが形成される。この指挿入部５３８ｂは、その先端が、中央やや後方の位置で止まった位置で形成され、平面からみて、両側と後方に連続したフラットな平面が形成される。指挿入部５３８ｂの先端は円形に形成され、その先端に先端部５３１ｂが形成され、指挿入部５３８ｂの手前には根元ガイド部５３７ｂが形成される。この根元ガイド部５３７ｂと先端部５３１ｂとの間の一段低い位置に窓部５３６ｂが配置される。
【００８３】
この実施の形態では、凹状の指挿入部５３８ｂの両側の内壁面に光源２５１を設け、この光源から発した光が指に向かって照射され、この照射されて指を透過した光を窓部５３６ｂ内のカメラ２５２で撮影する構造を備えている。また、指挿入部５３８ｂの周囲は乳白色の透光性材料で形成され、この内部にガイド光源５３５が配置される。この実施の形態も、第１の実施の形態と同様に、前記先端部５３１の近傍に配置される第１ガイド光源５３５ａと、指挿入部５３８ｂの両側に配置される第２ガイド光源５３５ｂと根元ガイド部５３７の近傍に配置される第３ガイド光源５３５ｂからガイド光源５３５を構成している、このガイド光源５３５の点燈動作については、実施の形態と同様につき説明を省略する。
【００８４】
この第２の実施の形態の特徴は、指を凹状の指挿入部５３８ｂへ置き安定させる外観形状であり、この指挿入部５３８ｂの外側の広い面が発光して光のガイダンスを行う点にある。指挿入部５３８ｂは指の形状を強調したものであり、清掃しやすい丸みのある平坦面に特徴的に形成されるものであり、利用者に一目で指を置くスペースであると認識させることができる。
【００８５】
また、この本体カバー５３０ｂは、指を置く範囲の外側に面を作り、指を置く範囲を凹型で示した形状を備え、指のかたちを模したＵ字形の凹形状を強調するため、Ｕ字形以外の造形要素を排除した形態としている。この造形は、側面の上部稜線をを直線にしたので、正面から見てＵ字形がはっきり見える。
【００８６】
また、この実施の形態では、凹状の指挿入部５３８ｂの内と外を明瞭にするため、窓部５３６と根元ガイド部５３７と先端部５３１とからなる指先置き部を黒色で統一した。そして、Ｕ字形の凹形状の指挿入部５３８ｂを強調するため、平面との境界に縁取りを設けた。
【００８７】
また、ガイド光源５３５の発光動作では、面全体を案内レンズにして指挿入部５３８ｂを囲うように発光させ、光の内側に指を置くことを示した。認証受入れ状態では面全体が「緑」点滅して端末の場所を示し、認証中は「青」色の光が先端から根元へ向かって移動して指の読込範囲を示し、認証が終了すると全点灯して終わったことを示す。エラーは赤色の早い点滅とした。このように、この実施の形態もまた、前記第１の実施の形態と同様に、状態に応じて光で案内することで、操作タイミングをわかりやすくした。
【００８８】
また、この実施の形態もまた、生体情報読取部２２ｂを８度傾斜のテーブル部１７に実装することを想定し、指が水平になるように根元が高く指先が低い側面形状としている。指挿入部５３８ｂの指先部分は爪の長い人の爪が越えられる程度の深さに設定している。更に、認証する指以外の指で端末を保持しやすいように手前側に大きなＲを付け、指挿入部５３８ｂの深さを認証する指の根元がガイドに付けられる程度の深さとしている。
【００８９】
そして、このこの実施の形態もまた、第１の実施の形態と同様に、この生体情報読取部２２ｂは、窓部５３６ｂをＵ状状の断面にして汚れを拭き取りやすくし、また、窓部５３６ｂを前後の先端部５３１と根元ガイド部５３７ｂより低くしているので、指が触れる面積を少なくし、ベタツキを感じにくい艶消し処理としている。
【００９０】
（第３の実施の形態）
次に、図１３を参照して、第３の実施の形態に係る生体情報読取部２２ｃを詳細に説明する。図１３は生体情報読取部の外観図であり、（ａ）図は斜視図、（ｂ）は左側面図、（ｃ）図は正面図、（ｄ）図は中央縦断面図、（ｅ）図が底面図、（ｆ）図が平面図を示している、ここで、右側面図は左側面図と対称につき省略している。また、設置状態では、（ｃ）図が上面と成る姿勢で取り付けられるが、この上面部分が特徴的であるため正面図で現している。
【００９１】
なお、以後の説明では、実施の形態の外観図面を特徴的な部分（部分意匠）を実線で示している。もちろん、破線部を実線で示した全体意匠も新規な意匠であることは言うまでもない。ここでは説明を分かりやすくするために、特徴部分と他の部分を分けて記載している。
【００９２】
この第３の実施の形態に係る生体情報読取部２２ｃは、前後方向に長く、横断面形状が台形を備えた棒状の本体カバー５３０ｃと、下部本体５００とから構成される。本体カバー５３０ｃは、後方に行くに従って低くなるくさび形の側面形状を備え、その前面側は大きなアール形状で形成され、その後端部は円弧形状に形成されている。これにより、前面から大きなアールで上面の水平な面に続く指の設置面５３９ｃが形成される。
【００９３】
また、この実施の形態の指の設置面５３９ｃは水平なフラット面で形成され、その中央に窓部５３６ｃが配置され、その後方に先端部５３１が、手前側には根元ガイド部５３７ｃがそれぞれ連続する平面内に配置されている。
【００９４】
また、ガイド光源５３５ｃは、前記先端部５３１の中央に配置される円形分とその外側の半リング状部とで構成される第１ガイド光源５３５ａと、窓部５３６ｃの両側に配置される枠体に形成される第２ガイド光源５３５ｂとから構成される。このガイド光源５３５の点燈動作については、実施の形態と同様につき説明を省略する。なお、この実施の形態では、前記指の設置面５３９ｃは、透光性の素材で形成され、点燈時以外は前記ガイド光源５３５は視認できないようになっている。
【００９５】
一方、この実施の形態では、窓部５３６ｃの内側に図示しない光源２５１が設けられ、この光源２５１から発した光が指に向かって照射され、この照射されて指を透過した光を窓部５３６ｂ内の図示しないカメラ２５２で撮影する構造を備えている。
【００９６】
さて、この第３の実施の形態の特徴は、側壁のない指の設置面５３９ｃによる指を拘束されない使いやすさと、指一本を強調したわかりやすい外観形状にある。特に、この実施の形態では、指の設置面５３９ｃが設置パネル２５から隆起した形態をとるので、認証対象となる指だけ持ち上がる置き方となる。また、この実施の形態では、指先を置く位置をポイント（第１ガイド光源５３５ａ）で発光して案内し、肌が触れる面を少なくし、安定して握れる形状となっている。しかも、単純な造形でしかもフラットな面で構成されるため掃除しやすい。
【００９７】
また、この実施の形態は、指一本を強調する先端が丸いスリムな形状としているため、指を台にのせることを連想しやすくし、また、本体を軽く握ることができる形状にして、握ることを連想しやすくした。更に、指を乗せる面とそれ以外の面で色彩を変えることで、指を乗せる場所をわかりやすくすることができる。
【００９８】
特に、ガイド光源５３５の点燈動作では、指先を置く場所がポイントで発光し案内することで、指先位置をわかりやすくできる。また、認証受入れ状態ではポイントが「緑」点滅して端末の場所と指先位置を示し、認証中は指外側のＵ字形部分が「青」色の光で先端から根元へ向かって移動して発光し、指の読込範囲付近を示す。認証が終了すると全点灯して終わったことを示す。更に、エラーは赤色の早い点滅とし、実際の読取り範囲である第２ガイド光源５３５ｂは発光させても手で見えないので、先端付近の第１ガイド光源５３５ａのみ発光させるようにしている。このように、この実施の形態もまた、前記第１の実施の形態と同様に、状態に応じて光で案内することで、操作タイミングをわかりやすくした。
【００９９】
また、この実施の形態もまた、生体情報読取部２２ｂを８度傾斜のテーブル部１７に実装することを想定し、指が水平になるように根元が高く指先が低い側面形状としている。また、この実施の形態では、ガイドをなくし拘束されないので楽に指を置くことができ、本体を軽く握って安定できるようにベース面と認証面までに握れるだけの高さを持たせ、本体をにぎりやすくするため、手前側に大きなＲを備えている。
【０１００】
そして、この実施の形態は、単純な造形で、しかも全体に窪みがないため、汚れを拭き取りやすく、汚れが溜まらない。
【０１０１】
（第４の実施の形態）
次に、図１４を参照して、第４の実施の形態に係る生体情報読取部２２ｄを詳細に説明する。図１４は生体情報読取部の外観図であり、（ａ）図は斜視図、（ｂ）は左側面図、（ｃ）図は正面図、（ｄ）図は中央縦断面図、（ｅ）図が背面図、（ｆ）図が平面図、（ｇ）図が底面図を示している、ここで、右側面図は左側面図と対称につき省略している。また、設置状態では、（ｃ）図が上面と成る姿勢で取り付けられるが、この上面部分が特徴的であるため正面図で現している。
【０１０２】
なお、以後の説明では、実施の形態の外観図面を特徴的な部分（部分意匠）を実線で示している。もちろん、破線部を実線で示した全体意匠も新規な意匠であることは言うまでもない。ここでは説明を分かりやすくするために、特徴部分と他の部分を分けて記載している。
【０１０３】
この第４の実施の形態に係る生体情報読取部２２ｄは、上面がトラック形状の薄い板状の本体カバー５３０ｄと、下部本体５００とから構成される。本体カバー５３０ｄは、前後（長手方向）に３分割され、中央が窓部５３６ｄ、手前が根元ガイド部５３７ｄ、後部が先端部５３１となっている。前記窓部５３６ｄは、前後の根元ガイド部５３７ｄと先端部５３１ｄより一段低く形成されている。また、先端部５３１は指の先の形状に合わせて凹状に形成される。
【０１０４】
また、前記窓部５３６ｄは暗調子のアクリル性の透光性素材で形成され、他の本体カバー５３０ｄの部分は乳白色の透光性素材で形成される。そして、前記先端部５３１ｄの内部に第１ガイド光源５３５ａを配置し、根元ガイド部５３７ｄの内部には第３ガイド光源５３５ｃ、第１ガイド光源５３５ａと第３ガイド光源５３５ｃとの間に第２ガイド光源５３５ｂを配置している。他の構造は、前記第３の実施の形態と同様につき省略する。
【０１０５】
そして、この実施の形態の特徴は、簡単さをスリム感で表現し、凹凸を減らしたフラットな面で掃除しやすい造形と、指先を置く位置が発光して操作の点燈案内が可能な動作形態とした点にある。即ち、この実施の形態は、指一本を強調する先端が丸いスリムな形状にして、指を台にのせることを連想しやすくし、指先を乗せる面を凹状の球面Ｒにして、さらに指先中心を示す凸点を付けることで、指先位置を示している。
【０１０６】
また、指を乗せる面（先端部５３１ｄと根元ガイド部５３７ｄ）と窓部５３６の色彩と仕上げを変えることで、指を乗せる場所をわかりやすくている。また、全体にスリムでシンプルな形状にして、使い方で悩む要素を排除している。更に、指先を置く場所が面で発光し案内することで、指先位置をわかりやすい。特に、認証受入れ状態では指先面が「緑」点滅して端末の場所と指先位置を示し、認証中は指外側の本体部分が「青」色の光で先端から根元へ向かって移動して発光し、指の読込範囲付近※を示す。認証が終了すると全点灯して終わったことを示す。ここで、エラーは赤色の早い点滅とし、実際の読取り範囲である窓部５３６ｄは発光させても手で見えないので、先端付近の第１ガイド光源５３５ａのみ発光させた。このように、この実施の形態は、状態に応じて光で案内することで、操作タイミングをわかりやすい。
【０１０７】
特に、この実施の形態は、ガイドをなくし拘束されないので楽に指を置くことができ、指根元を置ける根元ガイド部５３７ｄをセ窓部５３６ｄ手前に作り、指を安定できる。また、窓部５３６は、汚れを拭き取りやすいフラット面であり、上下位置を指に直接当たらない程度の高さにしている。しかも、この実施の形態では、認証する指以外が触れる面を極力なくすことができる。
【０１０８】
（第５の実施の形態）
次に、図１５を参照して、第５の実施の形態に係る生体情報読取部２２ｅを詳細に説明する。図１５は生体情報読取部の外観図であり、（ａ）図は左側面図、（ｂ）は正面図、（ｃ）図は中央縦断面図、（ｄ）図は底面図、（ｅ）図が中央横断面図、（ｆ）図が斜視図、（ｇ）図が背面図を示している、ここで、右側面図は左側面図と、平面図は底面図と対称につき省略している。また、設置状態では、（ｂ）図が上面と成る姿勢で取り付けられるが、この上面部分が特徴的であるため正面図で現している。
【０１０９】
なお、以後の説明では、実施の形態の外観図面を特徴的な部分（部分意匠）を実線で示している。もちろん、破線部を実線で示した全体意匠も新規な意匠であることは言うまでもない。ここでは説明を分かりやすくするために、特徴部分と他の部分を分けて記載している。
【０１１０】
この第５の実施の形態に係る生体情報読取部２２ｅは、上面が円形で中央部分が円弧状に張り出した半球状の本体カバー５３０ｅと下部本体５００とから構成される。この半球状の中央部分には前後に長い楕円形の指挿入部５３８ｅが形成される。この指挿入部５３８ｅは、中央に配置される窓部５３６ｅと、この窓部５３６ｅの前後に配置される根元ガイド部５３７ｅと先端部５３１ｅと、窓部５３６ｅの両側に弧状に張り出して配置される一対の壁面５４０ｅとから構成される。
【０１１１】
前記窓部５３６ｅとその両側の壁面５４０ｅの内壁面は暗調子で透光性素材の樹脂材料で形成され、周囲より一段低く形成されている。そして、この壁面５４０ｅの内壁面には光源２５１が配置される（詳細は前記実施の形態と同様につき省略する）。また、前記壁面５４０ｅの外側と根元ガイド部５３７と先端部５３１とを含む本体カバー５３０の外装は乳白色の透光性素材で形成され、前記先端部５３１の内側に第１ガイド光源５３５ａが、前記壁面５４０ｅの内側に第２ガイド光源５３５ｂが、根元ガイド部５３７の内側には第３ガイド光源５３５ｃがそれぞれ配置される。
【０１１２】
そして、この第５の実施の形態に係る生体情報読取部２２ｄの特徴は、曲線を使った柔らかい形を採用することにより、見た目の優しさを狙った、カタチから操作をイメージさせる点にある。特に、この実施の形態では、ボールを握る感覚で使え、指先を置く位置が発光して案内してくれる。また、指挿入部５３８ｂはシャープな形状で先進性を表現し、円弧断面で掃除しやすい形状としている。
【０１１３】
また、この実施の形態では、本体カバー５３０を球面形状にして、手を乗せることを連想しやすくし、指を置く部分を凹球面Ｒにして、更に先端部分に少し土手を作ることで指を置く位置を示している。更に、指を置く場所を別部品にして、指を置く場所をわかりやすくした。
【０１１４】
また、ガイド光源５３５は、指先を乗せる面である先端部５３１ｅと先端部５３１ｅ及び壁面５４０ｅが発光して、指先位置をわかりやすくした。特に、認証受入れ状態では指先を乗せる面と壁面５４０ｅが「緑」点滅して端末の場所と指先位置を示し、認証中は「青」色の光が先端から根元へ向かって移動して指の読込範囲を示し、認証が終了すると全点灯して終わったことを示す。エラーは赤色の早い点滅としている。このように、この実施の形態もまた、前記第１の実施の形態と同様に、状態に応じて光で案内することで、操作タイミングをわかりやすくした。
【０１１５】
そして、この実施の形態によれば、本体球面に手を置いて保持できるので、安定して指をおけるようにし、ガイドの指先部分は爪の長い人の爪が越えられる程度の高さに設定した。更に、指挿入部５３８ｅの手前側の厚みを薄く、高さを低めて、指根元がきつくならないようにした。加えて、指挿入部５３８ｅをＲ断面にして汚れを拭き取りやすくし、上下位置を指に直接当たらない高さに設定している。
【０１１６】
（第６の実施の形態）
次に、図１６を参照して、第６の実施の形態に係る生体情報読取部２２ｆを詳細に説明する。図１５は生体情報読取部の外観図であり、（ａ）図は左側面図、（ｂ）は正面図、（ｃ）図は中央縦断面図、（ｄ）図は平面図、（ｅ）図が底面図、（ｆ）図が中央横断面図、（ｇ）図が背面図、（ｈ）図が斜視図を示している、ここで、右側面図は左側面図と対称につき省略している。また、設置状態では、（ｂ）図が上面と成る姿勢で取り付けられるが、この上面部分が特徴的であるため正面図で現している。
【０１１７】
なお、以後の説明では、実施の形態の外観図面を特徴的な部分（部分意匠）を実線で示している。もちろん、破線部を実線で示した全体意匠も新規な意匠であることは言うまでもない。ここでは説明を分かりやすくするために、特徴部分と他の部分を分けて記載している。
【０１１８】
この第６の実施の形態に係る生体情報読取部２２ｆは、奥行きのある楕円の前部をカットした平面形状を備えるとともに、側面形状を中央に頂点を備えた円弧形状とした外観形状を備えた本体カバー５３０ｆと、下部本体５００とから構成される。本体カバー５３０ｆの上面は、前記カット部５４１ｆから同じ幅で後方に伸びる指挿入部５３８ｆが形成され、その両側に形成される側部立ち上がり部５３４ｆと後部立ち上がり部５３３ｆとが連続しでガイドの役割を果たしている。
【０１１９】
指挿入部５３８ｆの先端は円弧形状を成しており、この先端部が丸く、その両側と先端部が立ち上がってガイドとなるので、利用者は指挿入部５３８ｆに指を挿入しやすくなる。更に、指挿入部５３８ｆの手前は大きな丸みで隆起する根元ガイド部５３７ｆが、その後方は設置状態となるように傾斜面となっているので、指を水平にセットすることができる。
【０１２０】
更に、後部立ち上がり部５３３ｆに第１ガイド光源５３５ａを、側部立ち上がり部５３４に第２ガイド光源５３５ｂをそれぞれ配置しているので、前記第１の実施の形態と同様な作用効果を得ることができる。
【０１２１】
このように、この実施の形態では、前後方向に奥行きのある楕円形状の本体カバー５３０としているので、前部が細くなるので、指を指挿入部５３８ｆに挿入した際には、他の指の開きを少なくすることができる。しかも、中央部は両側に膨らんでいるので、この膨らんだ部分に第２ガイド光源５３５ｂや光源２５１を配置するスペースを確保することができる。
【０１２２】
（第７の実施の形態）
次に、図１７を参照して、第７の実施の形態に係る生体情報読取部２２ｇを詳細に説明する。図１５は生体情報読取部の外観図であり、（ａ）図は左側面図、（ｂ）は正面図、（ｃ）図は中央縦断面図、（ｄ）図は底面図、（ｅ）図が平面図、（ｆ）図が中央横断面図、（ｇ）図が背面図、（ｈ）図が斜視図を示している、ここで、右側面図は左側面図と対称につき省略している。また、設置状態では、（ｂ）図が上面と成る姿勢で取り付けられるが、この上面部分が特徴的であるため正面図で現している。
【０１２３】
なお、以後の説明では、実施の形態の外観図面を特徴的な部分（部分意匠）を実線で示している。もちろん、破線部を実線で示した全体意匠も新規な意匠であることは言うまでもない。ここでは説明を分かりやすくするために、特徴部分と他の部分を分けて記載している。
【０１２４】
この第７の実施の形態に係る生体情報読取部２２ｇは、先端部が丸く、前後方向に長い板状の本体カバー５３０ｇと、下部本体５００とから構成される。前記本体カバー５３０ｇの上面は、前部が弧状に隆起して後方は同幅の厚みを備えて形成される。前記弧状に隆起した部分は根元ガイド部５３７ｇとされ、その後方に窓部５３６ｇが、その後方の先端部に凹状で円形の先端部５３１がそれぞれ形成される。この実施の形態では、本体カバー５３０の上面の両側と後方には、周囲に縁部５４２ｇを残して溝５４３ｇが形成され、この溝５４３ｇの両側に第２ガイド光源５３５ｂが配置され、前部に第１ガイド光源５３５ａが配置される。更に、溝５４３ｇの内側部分は透光性素材で形成され、先端部５３１の下部にも第１ガイド光源５３５ａが配置される。
【０１２５】
この他の部分は、図１４の第４の実施の形態と同様につき説明を省略する。
【０１２６】
以上述べたように、この実施の形態によれば、指を置くタイミングと位置を大きなガイド光源で案内するとともに、光の発光位置や動き、更には発光色で誘導することができる。また、指挿入部を指先を模した形状とすることで、指の位置を利用者に形態で認識させることができる。しかも、指挿入部の内と外で仕上げを変えて指のかたちを明瞭にしている。これにより、自然に差出しやすい人差し指を標準にして、かざしやすい新たな操作方法を提供している。
【０１２７】
特に、前記した実施の形態では、大きな光の動きや色の変化で、読み取り中をしっかり伝えることができ、ユーザーの行為に反応しレスポンスを返すことで、信頼感を与えることができる。
【０１２８】
このように、この実施の形態に係る生体認証装置は、カメラ２５２を備えた下部本体５００と、その上部に配置される本体カバー５３０とから構成され、カメラ２５２で撮影した生体画像をデジタル情報に変換して生体認証に用いる生体認証装置において、前記本体カバー５３０は、その上部に、後端部が円形で、かつ前方から後方に伸びる指挿入部５３８を備え、前記指挿入部５３８は、前部に配置される根元ガイド部５３７と、後部に配置される先端ガイド部５３１と、前記根元ガイド部５３７と先端ガイド部５３１との間に配置される撮影用窓部５３６と、前記先端部ガイド部近傍に配置される第１ガイド光源部５３５ａと、前記撮影用窓部の両側に配置される第２ガイド光源部５３５ｂとを含んで構成し、第１ガイド光源部と第２ガイド光源部とは、多色光を発光可能な複数の光源から構成され、前記第１ガイド光源部５３５ａの単独の発光と、前記第１ガイド光源部５３５ａと前記第２ガイド光源部５３５ｂとで連携して発光することで、前記指挿入部の長手方向に沿った光の動的な動きを可能にしている。
【０１２９】
この場合、前記生体認証装置は、前記第１ガイド光源部と第２ガイド光源部の動作を制御する制御装置を備えるようにする。更に、前記前記指挿入部は前記指挿入部の周囲に立ち上がり部を備え、前記第１ガイド光源部と第２ガイド光源部は前記立ち上がり部に設けるようにする。
【０１３０】
これにより、指を連想する指挿入部の造形による触覚と、ガイド光源部の点燈表現による視覚により、指を正しい位置にセットしやすくすることができる。
【図面の簡単な説明】
【０１３１】
【図１】本発明の第１の実施の形態に係る自動取引装置１の概略説明図である。
【図２】図１の自動取引装置１を用いた金融機関システムのブロック構成図である。
【図３】第１の実施形態に係るＡＴＭの外形寸法を示す図である。
【図４】第１の実施形態に係るＡＴＭの立位姿勢の操作状態図である。
【図５】図１の自動取引装置１のシステム構成の一例を示す概略ブロック図である。
【図６】第１の実施形態に係る生体情報読取部の外観図である。
【図７】第１の実施形態に係る生体情報読取部の外観図である。
【図８】第１の実施形態に係る生体情報読取部の外観図である。
【図９】第１の実施形態に係る生体情報読取部の指のセット位置とセット姿勢の説明図である。
【図１０】第１の実施形態に係るＡＴＭ１の動作フロー図である。
【図１１】第１の実施形態に係るガイド光源の点燈動作図である。
【図１２】第２の実施形態に係る生体情報読取部の外観図である。
【図１３】第３の実施形態に係る生体情報読取部の外観図である。
【図１４】第４の実施形態に係る生体情報読取部の外観図である。
【図１５】第５の実施形態に係る生体情報読取部の外観図である。
【図１６】第６の実施形態に係る生体情報読取部の外観図である。
【図１７】第７の実施形態に係る生体情報読取部の外観図である。
【符号の説明】
【０１３２】
１…自動取引装置、１０…本体筐体、１１…フロントパネル、１２…ベース筐体、１３…前面扉、１４…背面扉、１５…操作表示部１５、１６…パネル部、１７…テーブル部、１８…カード／明細票取扱口、１９…通帳取扱口、２０…媒体取扱部、２１…ハンドセット、２２…生体情報読取部、２３…紙幣挿入／排出口、２４…硬貨挿入／排出口、２５…設置パネル、２５ａ…開口部、２２０…タッチパネル付表示部、２２１…カード部、２２２…通帳明細印字部、２２３…伝送制御部、２２４…記憶装置部、２２５…硬貨入出金部、２２６…紙幣入出金部、２２７…電源部、２２８…生体認証部、２２９…制御部、２５１…光源、２５２…カメラ、２５３…スイッチ、２５４…画像入力器、２５５〜２５８…入出力インタフェース、２５９…ＣＰＵ、２６０…メモリ、５００…下部本体、５３０…本体カバー、５３１…先端部、５３２…立ち上がり部、５３３…後部立ち上がり部、５３４…側部立ち上がり部、５３５…ガイド光源、５３５ａ…第１ガイド光源、５３５ｂ…第２ガイド光源、５３５ｃ…第３ガイド光源、５３６…窓部、５３７…根元ガイド部、５３８ｂ…指挿入部、５３８ｅ…指挿入部、５３９ｃ…指の設置面、５４０ｅ…壁面、５４１ｆ…カット部、５４２ｇ…縁部、５４３ｇ…溝。
【図１】
2008084247.tif 000003
【図２】
2008084247.tif 000004
【図３】
2008084247.tif 000005
【図４】
2008084247.tif 000006
【図５】
2008084247.tif 000007
【図６】
2008084247.tif 000008
【図７】
2008084247.tif 000009
【図８】
2008084247.tif 000010
【図９】
2008084247.tif 000011
【図１０】
2008084247.tif 000012
【図１１】
2008084247.tif 000013
【図１２】
2008084247.tif 000014
【図１３】
2008084247.tif 000015
【図１４】
2008084247.tif 000016
【図１５】
2008084247.tif 000017
【図１６】
2008084247.tif 000018
【図１７】
2008084247.tif 000019